【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】
撮影光学系と、
上記撮影光学系が形成した被写体像を画像信号に変換する撮像素子と、
上記撮像素子が取得した画像信号から撮影可能な全領域に対応した画像を表示する通常表示形態もしくは該全領域の一部を拡大して表示する拡大表示形態で表示を行う表示手段と、
１ｓｔレリーズＳＷ及び２ｎｄレリーズＳＷから構成されるレリーズボタンと、
上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行させる制御手段と、
を有し、
上記制御手段は、上記フォーカスロック前は上記表示手段に通常表示形態の表示を行わせ、上記フォーカスロック後は所定時間の間上記表示手段に拡大表示形態を行わせることを特徴とする電子的撮像装置。
【請求項２】
上記制御手段は、上記フォーカスロック後の所定時間が経過すると、上記表示手段の表示を拡大表示形態から通常表示形態へ変更させること特徴とする請求項１に記載の電子的撮像装置。
【請求項３】
撮影光学系と、
上記撮像光学系が形成した被写体像を画像信号に変換する撮像素子と、
上記撮像素子が取得した画像信号から撮影可能な全領域に対応した画像を表示する通常表示形態もしくは該全領域の一部を拡大して表示する拡大表示形態で表示を行う表示手段と、
手ぶれを検出する検出手段と、
１ｓｔレリーズＳＷ及び２ｎｄレリーズＳＷから構成されるレリーズボタンと、
上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行する制御手段と、
を有し、
上記制御手段は、上記フォーカスロック前は上記表示手段に通常表示形態の表示を行わせ、上記フォーカスロック後は上記表示手段に拡大表示形態の表示を行わせ、上記フォーカスロック後の構図変更の動作が上記検出手段の出力から検出されると、上記表示手段の表示を拡大表示形態から通常表示形態へ変更させることを特徴とする電子的撮像装置。
【請求項４】
撮影光学系と、
上記撮影光学系が形成した被写体像を画像信号に変換する撮像素子と、
上記撮像素子が取得した画像信号から撮影可能な全領域に対応した画像を表示する通常表示形態もしくは該全領域の一部を拡大して表示する拡大表示形態で表示を行う表示手段と、
上記撮影光学系の焦点調整を手動で行なうための操作スイッチと、
１ｓｔレリーズＳＷ及び２ｎｄレリーズＳＷから構成されるレリーズボタンと、
上記操作スイッチが操作されると、上記撮影光学系を駆動すると共に上記表示手段に拡大表示形態で表示を行わせ、
上記レリーズボタンが操作されて１ｓｔレリーズＳＷがＯＮすると、上記表示手段に通常表示形態の表示を行わせ、更に２ｎｄレリーズＳＷがＯＮすると撮影動作を実行する制御手段と、
を有することを特徴とする電子的撮像装置。
【請求項５】
撮影光学系と、
上記撮影光学系が形成した被写体像を画像信号に変換する撮像素子と、
上記撮像素子が取得した画像信号から撮影可能な全領域に対応した画像を表示する通常表示形態もしくは該全領域一部を拡大して表示する拡大表示形態で表示を行う表示手段と、
上記表示手段の拡大表示形態の拡大倍率を複数の拡大倍率から選択するための選択スイッチと、
上記撮影光学系の焦点調整を手動で行なうための操作スイッチと、
１ｓｔレリーズＳＷ及び２ｎｄレリーズＳＷから構成されるレリーズボタンと、
上記操作スイッチが操作されると、上記撮影光学系を駆動すると共に上記表示手段に拡大表示形態で表示を行わせ、
上記レリーズボタンが操作されて１ｓｔレリーズＳＷがＯＮすると、上記表示手段に通常表示形態の表示を行わせ、更に２ｎｄレリーズＳＷがＯＮすると撮影動作を実行する制御手段と、
を有することを特徴とする電子的撮像装置。
【請求項６】
上記表示手段に拡大表示形態における拡大倍率に対応して拡大表示される上記撮像素子の領域を示したデータを複数記憶した不揮発性メモリを更に有し、上記選択スイッチの操作に応じて上記制御手段はこれらのデータの一つを選択することを特徴とする請求項５に記載の電子的撮像装置。
【手続補正２】
【補正対象書類名】明細書
【補正対象項目名】００１３
【補正方法】変更
【補正の内容】
【００１３】
【課題を解決するための手段】
上記目的を達成するために、請求項１に記載の電子的撮像装置は、撮影光学系と、上記撮影光学系が形成した被写体像を画像信号に変換する撮像素子と、上記撮像素子が取得した画像信号から撮影可能な全領域に対応した画像を表示する通常表示形態もしくは該全領域の一部を拡大して表示する拡大表示形態で表示を行う表示手段と、１ｓｔレリーズＳＷ及び２ｎｄレリーズＳＷから構成されるレリーズボタンと、上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行させる制御手段と、を有し、上記制御手段は、上記フォーカスロック前は上記表示手段に通常表示形態の表示を行わせ、上記フォーカスロック後は所定時間の間上記表示手段に拡大表示形態を行わせることを特徴とする。
【手続補正３】
【補正対象書類名】明細書
【補正対象項目名】００１４
【補正方法】変更
【補正の内容】
【００１４】
請求項３に記載の電子的撮像装置は、撮影光学系と、上記撮像光学系が形成した被写体像を画像信号に変換する撮像素子と、上記撮像素子が取得した画像信号から撮影可能な全領域に対応した画像を表示する通常表示形態もしくは該全領域の一部を拡大して表示する拡大表示形態で表示を行う表示手段と、手ぶれを検出する検出手段と、１ｓｔレリーズＳＷ及び２ｎｄレリーズＳＷから構成されるレリーズボタンと、上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行する制御手段と、を有し、上記制御手段は、上記フォーカスロック前は上記表示手段に通常表示形態の表示を行わせ、上記フォーカスロック後は上記表示手段に拡大表示形態の表示を行わせ、上記フォーカスロック後の構図変更の動作が上記検出手段の出力から検出されると、上記表示手段の表示を拡大表示形態から通常表示形態へ変更させることを特徴とする。
【手続補正４】
【補正対象書類名】明細書
【補正対象項目名】００１５
【補正方法】変更
【補正の内容】
【００１５】
請求項４に記載の電子的撮像装置は、撮影光学系と、上記撮影光学系が形成した被写体像を画像信号に変換する撮像素子と、上記撮像素子が取得した画像信号から撮影可能な全領域に対応した画像を表示する通常表示形態もしくは該全領域の一部を拡大して表示する拡大表示形態で表示を行う表示手段と、上記撮影光学系の焦点調整を手動で行なうための操作スイッチと、１ｓｔレリーズＳＷ及び２ｎｄレリーズＳＷから構成されるレリーズボタンと、上記操作スイッチが操作されると、上記撮影光学系を駆動すると共に上記表示手段に拡大表示形態で表示を行わせ、上記レリーズボタンが操作されて１ｓｔレリーズＳＷがＯＮすると、上記表示手段に通常表示形態の表示を行わせ、更に２ｎｄレリーズＳＷがＯＮすると撮影動作を実行する制御手段と、を有することを特徴とする。
また、請求項５に記載の電子的撮像装置は、撮影光学系と、上記撮影光学系が形成した被写体像を画像信号に変換する撮像素子と、上記撮像素子が取得した画像信号から撮影可能な全領域に対応した画像を表示する通常表示形態もしくは該全領域一部を拡大して表示する拡大表示形態で表示を行う表示手段と、上記表示手段の拡大表示形態の拡大倍率を複数の拡大倍率から選択するための選択スイッチと、上記撮影光学系の焦点調整を手動で行なうための操作スイッチと、１ｓｔレリーズＳＷ及び２ｎｄレリーズＳＷから構成されるレリーズボタンと、上記操作スイッチが操作されると、上記撮影光学系を駆動すると共に上記表示手段に拡大表示形態で表示を行わせ、上記レリーズボタンが操作されて１ｓｔレリーズＳＷがＯＮすると、上記表示手段に通常表示形態の表示を行わせ、更に２ｎｄレリーズＳＷがＯＮすると撮影動作を実行する制御手段と、を有することを特徴とする。